(57)【特許請求の範囲】
【請求項１】
基地局（ＢＳ）で用いる方法であって、
前記方法は、
データビット、ヘッダビットおよびピギーバック肯定応答／否定応答（ＰＡＮ）ビットを生成することと、
前記データビットおよび前記ＰＡＮビットに基づいて複数のシンボルを生成することであって、前記複数のシンボルのそれぞれのシンボルは、複数のビットを表し、および最下位ビット（ＬＳＢ）位置を有し、ＰＡＮビットは、前記複数のシンボルのそれぞれの前記ＬＳＢ位置になく、並びに前記ＰＡＮビットおよび前記ヘッダビットは、独立して符号化される、ことと、
前記複数のシンボルを送信することと
を備える方法。
【請求項２】
前記複数のシンボルを生成することは、
チャネル符号化ビットを生成するために前記データビットおよびＰＡＮビットをチャネル符号化することと、
インターリーブされたビットを生成するために前記チャネル符号化されたビットをインターリーブすることと、
前記複数のシンボルを生成するために前記インターリーブされたビットを変調することと
を含む、請求項１の方法。
【請求項３】
前記インターリーブされたビットを変調することは、８位相シフトキーイング（８ＰＳＫ）変調、１６直交振幅変調（１６−ＱＡＭ）、または３２直交振幅変調（３２−ＱＡＭ）を使用することを含む、請求項２の方法。
【請求項４】
前記データビットおよび前記ＰＡＮビットは、ビットのストリームに含まれ、前記方法は、
電力オフセット値を前記ビットのストリームのそれぞれのビットに関連付けられる伝送電力に印加することをさらに備える、請求項１の方法。
【請求項５】
前記ビットのストリームは、ヘッダビット、スチーリングフラグ、トレーニングシーケンスビット、およびアップリンク状態フラグビットをさらに含む、請求項４の方法。
【請求項６】
前記電力オフセット値は、前記ビットのストリームのビットのタイプに基づく、請求項４の方法。
【請求項７】
前記ＢＳが前記電力オフセット値を判定することをさらに備える、請求項４の方法。
【請求項８】
前記複数のシンボルは、ＧＳＭ（Global System for Mobile Communications）／ＥＤＧＥ（Enhanced Data rates for GSM evolution）無線アクセスネットワーク（ＧＥＲＡＮ）技術に基づくワイヤレスネットワークを介して送信される、請求項１の方法。
【請求項９】
基地局（ＢＳ）であって、
データビット、ヘッダビットおよびピギーバック肯定応答／否定応答（ＰＡＮ）ビットを生成する手段と、
前記データビットおよび前記ＰＡＮビットに基づいて複数のシンボルを生成する手段であって、前記複数のシンボルのそれぞれのシンボルは、複数のビットを表し、および最下位ビット（ＬＳＢ）位置を有し、ＰＡＮビットは、前記複数のシンボルのそれぞれの前記ＬＳＢ位置になく、並びに前記ＰＡＮビットおよび前記ヘッダビットは、独立して符号化される、手段と、
前記複数のシンボルを送信する手段と
を備えるＢＳ。
【請求項１０】
前記複数のシンボルを生成する手段は、
チャネル符号化ビットを生成するために前記データビットおよびＰＡＮビットをチャネル符号化する手段と、
インターリーブされたビットを生成するために前記チャネル符号化されたビットをインターリーブする手段と、
前記複数のシンボルを生成するために前記インターリーブされたビットを変調する手段と
を含む、請求項９のＢＳ。
【請求項１１】
前記インターリーブされたビットを変調する手段は、８位相シフトキーイング（８ＰＳＫ）変調、１６直交振幅変調（１６−ＱＡＭ）、または３２直交振幅変調（３２−ＱＡＭ）を使用して前記インターリーブされたビットを変調するように構成される、請求項１０のＢＳ。
【請求項１２】
前記データビットおよび前記ＰＡＮビットは、ビットのストリームに含まれ、前記ＢＳは、
電力オフセット値を前記ビットのストリームのそれぞれのビットに関連付けられる伝送電力に印加する手段をさらに備える、請求項９のＢＳ。
【請求項１３】
前記ビットのストリームは、ヘッダビット、スチーリングフラグ、トレーニングシーケンスビット、およびアップリンク状態フラグビットをさらに含む、請求項１２のＢＳ。
【請求項１４】
前記電力オフセット値は、前記ビットのストリームのビットのタイプに基づく、請求項１２のＢＳ。
【請求項１５】
前記電力オフセット値を判定する手段をさらに備える、請求項１２のＢＳ。
【請求項１６】
前記複数のシンボルは、ＧＳＭ（Global System for Mobile Communications）／ＥＤＧＥ（Enhanced Data rates for GSM evolution）無線アクセスネットワーク（ＧＥＲＡＮ）技術に基づくワイヤレスネットワークを介して送信される、請求項９のＢＳ。
【発明の詳細な説明】
【技術分野】
【０００１】
本願は、ワイヤレス通信に関する。
【背景技術】
【０００２】
ＧＳＭ（登録商標）（移動体通信用グローバルシステム）は、移動体ワイヤレス通信用に最も広く普及している通信規格の１つである。パケット交換技術を導入するために、ＥＴＳＩ（欧州電気通信基準化協会）によってＧＰＲＳ（汎用パケット無線サービス）が開発された。ＧＰＲＳの１つの制限は、ＧＰＲＳが音声サービスをサポートしないことである。ＧＰＲＳに関する他の問題としては、より高速のデータ転送速度がサポートされないこと、およびリンク適応化アルゴリズムが貧弱なことが挙げられる。したがって、３ＧＰＰ（第３世代パートナーシッププロジェクト）は高速のデータサービスをサポートするためにＧＳＭ用の新しい規格を開発し、１９９９年に発表した。これは、ＥＤＧＥ（enhanced data rates for GSM evolution：高データ転送速度ＧＳＭ進化型）として知られている。
【０００３】
これらの規格に従って構成されるネットワークは、ＣＮ（コアネットワーク）、ＧＥＲＡＮ（ＧＳＭ／ＥＤＧＥ無線アクセスネットワーク）などのＲＡＮ（無線アクセスネットワーク）に接続された少なくとも１つのＷＴＲＵ（ワイヤレス送信／受信ユニット）を備える。ＧＥＲＡＮは、それぞれがＢＳＣ（基地局コントローラ）に接続され、ＢＳＣによって制御される複数のＢＴＳ（基地送受信局）を備える。ＢＳＣおよび対応するＢＴＳの組み合わせは、ＢＳＳ（基地局システム）として実現される。
【０００４】
ＲＬＣ／ＭＡＣ（無線リンク制御／媒体アクセス制御）プロトコルはＷＴＲＵおよびＢＳＳに常駐し、ＷＴＲＵとネットワーク間の情報の確実な伝送を担当する。加えて、物理層レイテンシ（例えば、パケット転送遅延および直列化遅延）がＲＬＣ／ＭＡＣプロトコルによって制御される。
【０００５】
ＧＥＲＡＮ進化型の目標は、ワイヤレス通信システムにおける設定および構成のための新しい技術、新しいアーキテクチャ、および新しい方法を開発することである。ＧＥＲＡＮ進化型の１つの作業項目は、レイテンシの短縮である。３ＧＰＰ  ＧＥＲＡＮのＲ７（リリース７）の規格は、スループットを向上させることができて、ＵＬ（アップリンク）およびＤＬ（ダウンリンク）における伝送のレイテンシを短縮することができるいくつかの機能を導入している。ＵＬの改良は、ＨＵＧＥ（higher uplink performance for GERAN evolution：より高速のアップリンクパフォーマンスＧＥＲＡＮ進化型）と呼ばれ、ＤＬの改良は、ＲＥＤＨＯＴ（reduced symbol duration higher order modulation and turbo coding：短縮されたシンボル期間、より高位の変調、およびターボ符号化）と呼ばれる。これらの改良は両方とも、ＥＧＰＲＳ−２（進化型汎用パケット無線サービス２）機能と総称されることがある。
【０００６】
レイテンシ短縮機能は、独立モードでも、他のＧＥＲＡＮ  Ｒ７改良のいずれかと連動しても動作できる２つの技術手法を有する。１つの手法は、ＦＡＮＲ（高速のＡＣＫ／ＮＡＣＫ（肯定応答／否定応答）報告）モードを使用する。もう１つの手法は、ＲＴＴＩ（短縮された伝送時間インターバル）モードを使用する。ＷＴＲＵは、レガシーＥＧＰＲＳ  ＭＣＳ（変調および符号化スキーム）およびより新しいＥＧＰＲＳ−２変調および符号化スキームを用いてＦＡＮＲおよびＲＴＴＩ両オペレーションモードで動作できる。
【０００７】
ＲＥＤＨＯＴおよびＨＵＧＥでは、レガシーＥＧＰＲＳのＤＬおよびＵＬに比べてデータ転送速度およびスループットが向上する。これらのモードは、より高位の変調スキーム、例えば、１６−ＱＡＭ（１６直交振幅変調）および３２−ＱＡＭ（３２直交振幅変調）などを使用することにより実施できる。これらのモードは、より高速のシンボル転送速度伝送およびターボ符号化の使用も対象にすることができる。レガシーシステムと同様に、ＲＥＤＨＯＴおよびＨＵＧＥは、バースト単位の新しい修正済み情報フォーマット、様々な符号化率、様々な符号化手法などを定義する変調および符号化スキームの拡張版一式を対象にする。
【０００８】
ＦＡＮＲの導入前、ＡＣＫ／ＮＡＣＫ情報は、一般的に、開始シーケンス番号、および無線ブロックを表すビットマップが入れられた、ＲＬＣ／ＭＡＣ制御ブロックと呼ばれる明示メッセージで送信されていた。報告のストラテジー（報告書はいつ、どのようにして送信されるかなど）はネットワークによって制御されていた。ＷＴＲＵは、ＢＳＳ（基地局システム）からのポーリング情報への応答として制御ブロックを必ず送信していた。ポーリング情報は、ＵＬ伝送時刻（例えば、いつ、ＷＴＲＵがその制御ブロックをＵＬで送信するのが許可されたか）に関する情報も含む。通常のオペレーション中、より高位層の情報がＷＴＲＵとネットワーク間で交換される場合、その情報転送はＲＬＣデータブロックを使用して行われる。
【０００９】
現在のＡＣＫ／ＮＡＣＫ報告プロトコルの欠点は、ＡＣＫ／ＮＡＣＫ情報が送信されるたびに全制御ブロックが必要なことである。したがって、遅延の影響を受けやすいサービスに対してＡＣＫ／ＮＡＣＫ情報が頻繁に必要な場合、大きいオーバーヘッドが必要になる。
【００１０】
その結果として、ＧＥＲＡＮ進化型のフレームワーク内で、反対のリンク方向ではＲＬＣデータブロックに「ピギーバックした」ＡＣＫ／ＮＡＣＫ報告書を使用する新しいＡＣＫ／ＮＡＣＫ状態マシンが導入された。
【００１１】
このプロトコルは、大きなオーバーヘッドを生ずることなく再送遅延を大幅に短縮する可能性を有している。これらのＰＡＮ（ピギーバックＡＣＫ／ＮＡＣＫ）報告書は、無線ブロックのＡＣＫ／ＮＡＣＫ情報を与える未処理の無線ブロックビットマップを指定するＢＳＮ（ブロックシーケンス番号）と、ＡＣＫ／ＮＡＣＫ情報のサイズを指定するサイズビットまたは拡張ビットの組み合わせとして設計されるビットマップである。ＰＡＮは、ＲＬＣデータを搬送する無線ブロックに入れてＡＣＫ／ＮＡＣＫビットマップを送信するために使用される。
【００１２】
これは、ＡＣＫ／ＮＡＣＫ情報が単一のＰＡＮで構成される、またはいくつかの複数セグメントのＰＡＮに分割されることを可能にする。これにより、特別なＲＬＣ／ＭＡＣ制御ブロックを必要としないでＡＣＫ／ＮＡＣＫ報告を特定のＷＴＲＵ（ワイヤレス送信／受信ユニット）へデータ伝送から独立して送信する柔軟性が増し、一方でＲＬＣウィンドウオペレーションの一般的原則を維持するため、レイテンシおよび往復時間の短縮が可能になる。
【００１３】
図１は、従来の無線ブロックを示している。現在、ＰＡＮフィールドは、ＥＧＰＲＳ版ＭＣＳ（変調および符号化スキーム）を使用するか、またはＲＥＤＨＯＴ／ＨＵＧＥ（ＥＧＰＲＳ−２）によって提供される新しいＭＣＳを使用してＲＬＣ／ＭＡＣ無線ブロックに挿入できる。これらのシナリオの両方で、無線ブロックは、ＲＬＣデータペイロードから独立して復号可能な、別個に符号化されたＲＬＣ／ＭＡＣヘッダ１０５と、ＲＬＣデータペイロード１１０と、ＲＬＣ／ＭＡＣヘッダおよびＲＬＣデータペイロードから別個に復号可能なＰＡＮフィールド１１５とで構成される。
【００１４】
一部のレガシーＥＧＰＲＳ無線ブロックおよび一部の新しいＲＥＤＨＯＴ／ＨＵＧＥ無線ブロックは、無線ブロックごとに２つ以上のＲＬＣデータＰＤＵ（プロトコルデータユニット）を含むことができる。ＰＡＮは、バースト上にデータと一緒にマッピングされる。インターリーブ前のＰＡＮの配置は、データブロックのインターリーブの深さに依存する。すべてのＰＡＮは符号化率が低いので、インターリーブの深さは最大が好ましい。
【００１５】
無線ブロックにＰＡＮフィールド１１５を挿入するには、実際のＲＬＣデータペイロードの、より重いパンクチャが必要である。要するに、無線ブロックに入れることができるビットの総数は固定なので、ＰＡＮが挿入される時には、より多くの符号化されたデータビットがＲＬＣデータペイロードから除去される必要がある。ＰＡＮが挿入される時でもＲＬＣ／ＭＡＣヘッダの符号化は変更されないままなので、データ部の符号化率が上がらなければならない。しかし、これは、リンクパフォーマンスおよびリンク適応化アルゴリズムの効果には有害である可能性がある。なぜなら、チャネル符号化率が上がり、無線ブロックの、影響を受けるＲＬＣデータペイロード１１０のチャネルビットの数が減少すると、伝送エラーが増え、データ保護が減少する可能性があるからである。
【００１６】
もう１つの問題は、ＲＬＣ／ＭＡＣヘッダ１０５、ＲＬＣデータペイロード１１０、およびＰＡＮフィールド１１５はすべて、独立してチャネル符号化されることである。例えば、Ｍ＝２０の情報ビットおよびＮ＝６のＣＲＣ（巡回冗長検査）ビットを含むＰＡＮフィールドは８０個のチャネル符号化ビットに符号化され、符号化率は約０．３３となる。したがって、無線ブロックの良好なパフォーマンスには、ＲＬＣ／ＭＡＣヘッダ１０５、ＲＬＣデータペイロード１１０およびＰＡＮフィールド１１５のエラーパフォーマンスのバランスを取ることが不可欠である。
【００１７】
ＲＬＣ  ＭＡＣ無線ブロック１１０を構成する部分の様々なエラーパフォーマンスが図２に示されている。例えば、ＲＬＣ／ＭＡＣヘッダ１０５のエラー率が高くなりすぎる場合、ＲＬＣデータペイロード１１０内のエラーのためではなく、受信側（ＷＴＲＵまたは基地局）がＲＬＣ／ＭＡＣヘッダ１０５を復号できないために、より多くの伝送が失われる。ＰＡＮフィールド１１５の保護も、ＰＡＮフィールド１１５のマッピングと同様に疑問である。
【００１８】
図１の従来のＲＬＣ／ＭＡＣ無線ブロックでは、ＲＬＣ／ＭＡＣヘッダ１０５、ＲＬＣデータペイロード１１０およびＰＡＮフィールド１１５が一緒にインターリーブされる。それらのチャネル符号化ビットは変調シンボルによって搬送されるが、そのチャネル符号化ビットは、例えば、ＰＡＮフィールド１１５に属するビットが必ずしも連続しないような４つの無線バーストに分散される。電力オフセットをＰＡＮ搬送のシンボルのサブセットのみに印加すると、「通常の」シンボルから、より大きいオフセット電力で送信されるシンボルに遷移するＲＦ（高周波）非線形性のために、所与の変調オーダー用の構成された標準ＰＡＲ（ピーク対平均比）バックオフ時に隣接する搬送波に伝送（Ｔｘ）電力が余分に漏洩する可能性がある。これは、容認し得ない帯域外発射レベルに達することがある。
【発明の概要】
【発明が解決しようとする課題】
【００１９】
したがって、無線ブロックの異なる部分および無線ブロックのマッチする部分のパフォーマンスおよびエラー回復力を、チャネル符号化ビットの数を変更することなく、ＰＡＮフィールドを含まない時の伝送と比べた場合の、ＰＡＮフィールドを含んだ場合のそれら各部分のそれぞれの要件にリンクするための方法および装置を有することが望ましい。
【課題を解決するための手段】
【００２０】
変調されたシンボルの信頼できないビット位置にあるＰＡＮ（ピギーバック肯定応答／否定応答）ビットが、より信頼できるビット位置にあるデータビットと交換される。加えて、ＰＡＮビットを含むシンボルに電力オフセット値を印加できる。
【図面の簡単な説明】
【００２１】
例として、添付の図面と関連付けて理解されるように記載された以下の説明から、より詳細な理解が得られるであろう。
【図１】ＥＧＰＲＳデータ転送用の従来のＲＬＣ／ＭＡＣブロック構造を示した図である。
【図２】ビット交換が行われないＲＬＣ／ＭＡＣ無線ブロックの様々な部分のエラー率を示した図である。
【図３】ＰＡＮビット交換が行われない無線ブロックの構造を、ＰＡＮビット交換が行われた無線ブロックの構造と比較して示した図である。
【図４】ピギーバックＡＣＫ／ＮＡＣＫフィールドを含んだ無線ブロックの送受信に使用されるＷＴＲＵおよび基地局を備えたワイヤレス通信システムのブロック図である。
【図５】図４のＷＴＲＵによって実行される手順の流れ図である。
【発明を実施するための形態】
【００２２】
本明細書で言及された場合、用語「ＷＴＲＵ（ワイヤレス送信／受信ユニット）」には、限定ではないが、ＵＥ（ユーザ機器）、移動体局、固定または移動体加入者ユニット、ページャー、携帯電話、ＰＤＡ（パーソナルデジタルアシスタント）、コンピュータ、またはワイヤレス環境で動作できる任意の他のタイプのユーザデバイスがある。本明細書で言及された場合、用語「基地局」には、限定ではないが、ノードＢ、サイトコントローラ、ＡＰ（アクセスポイント）、またはワイヤレス環境で動作できる任意の他のタイプのインターフェースデバイスがある。
【００２３】
図３は、バースト３００Ａの構造を示している。バースト３００Ａは、ＰＡＮビット３０５、ヘッダビット３１０、およびデータビット３１５を含む。ＰＡＮビット３０５はバースト全体に点在し、シンボルのすべてのビット位置に存在し得る。バースト３００Ａは８−ＰＳＫ（８位相シフトキーイング）変調（すなわち、シンボルごとに３ビット）を表しているが、本明細書で開示されるＰＡＮビット交換手法は、どの変調オーダーにも適用できることに留意されたい。位相シフトキーイング変調の特質のため、当業者は、各シンボルの３番目のビット位置３５０は、各シンボルの先頭の２ビット位置３４０よりエラーを起こしやすいことが理解できるであろう。
【００２４】
図３はまた、一実施形態による、ＰＡＮビット交換（３００Ｂ）が適用された後の変調された情報ビットの構造を示している。各シンボルの信頼できないビット位置３５０（８−ＰＳＫの例示の事例では、各シンボルの３番目のビット位置）にあるＰＡＮビット３０５は、より信頼できるビット位置３４０にあるデータビット３１５と「交換」される。例えば、バースト３００Ａでは、ＰＡＮビット３０５Ａは、シンボルの３番目のビット位置に示されている。ＰＡＮビット交換後、ＰＡＮビット３０５Ａは、より信頼できるビット位置からのデータビット３１５と交換されている。これで、ＰＡＮビット３０５Ｂは、より信頼できる位置に置かれた。チャネル符号化後、このバーストは、トレーニングシーケンス３２０、２つのＳＦ（スチーリングフラグ（stealing flag））３２５、およびＤＬ方向ではＵＳＦ（アップリンク状態フラグ）３３０各フィールドも付加される。
【００２５】
本明細書で開示されるＰＡＮビット交換は、ＰＡＮビット３０５の信頼性を改善することに留意されたい。しかし、トレードオフとして、ＰＡＮビット３０５で交換されたデータビット３１５は信頼性が低くなる。ＰＡＮビット３０５の重要性およびデータ再送手法が理由で、このトレードオフは一般的に許容し得る。
【００２６】
さらに、トレーニングシーケンス３２０など、バースト３００Ａの中間のエリアは不良チャネル条件を起こしにくい。したがって、ＰＡＮビット３０５をトレーニングシーケンス３２０に近い他のビットと交換することは有利である可能性がある。ＰＡＮビット３０５を無線ブロックの、より望ましい位置にある他のビットと交換することも同様に有利であろう。
【００２７】
図３を参照しながら説明されたＰＡＮビット交換は、より高位の変調に適用することもできる。１６−ＱＡＭ（１６直交振幅変調）および３２−ＱＡＭ（３２直交振幅変調）の、より信頼性が高い、すなわち、最上位のビット（most significant bits）または外側のコンステレーションポイントがＰＡＮビット交換に使用できる。当然であるが、開示されるＰＡＮビット交換は、シンボルごとに複数のビットを有する任意の変調手法で使用できる。
【００２８】
ＰＡＮビット交換に加えて、パフォーマンスを向上させるために、１つまたは２つ以上の電力オフセットをバースト３００Ａの１つまたは２つ以上の個々の部分に印加できる。それらの部分のそれぞれの個別のエラーパフォーマンスのバランスを取るために、電力オフセットはヘッダ３１０、データ３１５、ＰＡＮ３０５、トレーニングシーケンス３２０、ＳＦ（スチーリングフラグ）３２５、および／またはＵＳＦ（アップリンク状態フラグ）３３０各フィールドに個別に、または組み合わせて印加することができる。または、電力オフセットは、変化する無線条件、干渉レベル、電力ヘッドルーム、または無線送信機による個々のフィールドの有無を考慮するためにシステム動作中に調整することもできる。したがって、異なるフィールドには異なる電力オフセット値が印加できる。無線ブロックの特定の部分へ電力オフセットを選択的に印加することにより、リンクパフォーマンスを向上させることができ、一方で他の受信機に対して生ずる干渉は最小限ですむ。
【００２９】
図４を参照すると、電力オフセットを上述のように印加する例示の方法４００が伝送を開始することから始まる（ステップ４１０）。次に、無線ブロックにＰＡＮビットが含まれているかが判定される（ステップ４２０）。システム動作によっては、ＰＡＮビットを常に含むことが可能であり、そのため、このステップは不要なことがある。ＰＡＮビットが存在する場合、信頼できないビット位置に置かれているＰＡＮビットは、より信頼できるビット位置にあるビットと上述のように交換される（ステップ４３０）。次に、無線ブロックの様々な各ビットおよび／または各領域（例えば、ヘッダフィールド、ＰＡＮビット、トレーニングシーケンス、スチーリングフラグ）用の電力オフセットを算出できる（ステップ４４０）。最後に、算出された電力オフセットが無線ブロックに印加される（ステップ４５０）。
【００３０】
方法４００において、算出された電力オフセットが、例えば、データビットの符号化率増加の影響を相殺することがある。算出された電力オフセットは、定期的調整を行いながら半静的に印加することもできるし、または変化する無線条件および／または干渉レベルおよび／または電力ヘッドルームを考慮に入れるためにシステム動作中に調整することもできる。
【００３１】
ＷＴＲＵは、所定の基準または測定された値に基づいて電力オフセット値を独自に算出することもできるし、またはネットワークから電力オフセット値を受信することもできる。ネットワークは、リンク適応化方式に基づいてオフセット値を調整または構成することができる。例えば、オフセット値は、別個の制御ブロック（例えば、パケット電力制御／タイミング進行メッセージ、パケットタイムスロット再構成メッセージ、またはパケットＵＬ  ＡＣＫ／ＮＡＣＫメッセージ）に入れてＷＴＲＵに通知することができる。あるいは、他のＲＬＣ／ＭＡＣ制御ブロックをこのタイプの情報を搬送するように修正してもよい。
【００３２】
ＰＡＮビット交換および電力オフセットが組み合わせで使用されると、ＰＡＮビットは、無線ブロックを構成する４つの無線バーストの中の１つの無線バーストの他のビットと交換することができ、電力オフセットは、そのＰＡＮビットを含む無線バースト全体に印加することができる。この手法は、バースト内で電力レベルが変化するのを防ぐ。あるいは、ＰＡＮビットは、無線ブロックを構成する４つの無線バーストのサブセットのビットと交換することもできる。その場合には、電力オフセットは、そのＰＡＮビットを搬送するバーストに印加できる。これらの方法は、他のビット、例えば、ヘッダ、データビットなどにも適用できる。
【００３３】
図５は、それぞれが上記で開示された方法を実施するように構成されたＷＴＲＵ５００および基地局５０５を示している。ＷＴＲＵ５００は、送信機５１０、受信機５１５、およびプロセッサ５２０を備える。送信機５１０および受信機５１５は、アンテナ５２５およびプロセッサ５２０に結合される。ＷＴＲＵ５００は、アップリンク方向５３０およびダウンリンク方向５３５でエアインターフェースを介して基地局５０５と通信する。プロセッサ５２０は、変調器／復調器５４０、インターリーバ／デインターリーバ５４５、およびコンステレーションマッパー／デマッパー５５０を備える。プロセッサ５２０は、上述のように、伝送用の無線ブロックを生成し、受信された無線ブロックを処理するように構成される。インターリーバ／デインターリーバ５４５は、無線ブロック内のビットをインターリーブおよびデインターリーブして、開示されているように、ＰＡＮビットをデータビットと交換するように構成される。コンステレーションマッパー／デマッパー５５０は、ＱＰＳＫ、１６−ＱＡＭ、３２−ＱＡＭなどの変調手法に基づいてシンボルを符号化および復号し、インターリーバ／デインターリーバ５４５と協力して、開示されているようにＰＡＮビットをデータビットと交換するように構成される。変調器／復調器５４０は、準備された無線ブロックを送信機５１０を介したアップリンク伝送用に変調し、受信機５１５を介したダウンリンク内の受信された無線ブロックを復調するように構成される。
【００３４】
ＷＴＲＵ５１０のプロセッサ５２０は、開示されているように、無線ブロックの様々な領域に電力オフセットを印加するようにさらに構成される。プロセッサ５２０は、送信機５１０と組み合わされて、上記で開示されているように、算出または受信された電力オフセット値に従って伝送電力を半静的に、または変化するチャネル条件に基づいて調整することができる。プロセッサ５２０は、基地局５０５から電力オフセット値を受信機５１５を介して受信するようにさらに構成される。
【００３５】
基地局５０５は、ＷＴＲＵ５００に関して上述されたものと類似の機能を有することができる。基地局のプロセッサは、開示されているように電力オフセットコマンドを生成し、開示されているようにＰＡＮビットを交換するように構成されてよい。
【００３６】
実施形態では、機能および要素は特定の組み合わせで説明されているが、各機能または要素は、実施形態の他の機能および要素なしで単独でも使用できるし、他の機能および要素の有無に関係なく様々な組み合わせで使用することもできる。本発明で提供される方法または流れ図は、コンピュータプログラム、ソフトウェア、または汎用コンピュータまたはプロセッサによる実行用にコンピュータ読み取り可能なストレージ媒体に有形で具体化されるファームウェアとして実装することができる。コンピュータ読み取り可能なストレージ媒体の例には、ＲＯＭ（読み取り専用メモリ）、ＲＡＭ（ランダムアクセスメモリ）、レジスタ、キャッシュメモリ、半導体メモリデバイス、内部ハードディスクおよび取り外し可能ディスクなどの磁気媒体、光磁気媒体、ならびにＣＤ−ＲＯＭディスクおよびＤＶＤ（デジタル多用途ディスク）などの光媒体がある。
【００３７】
適切なプロセッサには、例であるが、汎用プロセッサ、専用プロセッサ、従来のプロセッサ、ＤＳＰ（デジタルシグナルプロセッサ）、複数のマイクロプロセッサ、ＤＳＰコアと関連付けられた１つまたは２つ以上のマイクロプロセッサ、コントローラ、マイクロコントローラ、ＡＳＩＣ（特定用途向け集積回路）、ＦＰＧＡ（フィールドプログラマブルゲートアレイ）回路、任意の他のタイプのＩＣ（集積回路）、および／または状態マシンがある。
【００３８】
ＷＴＲＵ、ＵＥ（ユーザ機器）、端末、基地局、ＲＮＣ（無線ネットワークコントローラ）、または任意のホストコンピュータで使用される高周波送受信機を実装するためにソフトウェアと関連付けられたプロセッサが使用できる。ＷＴＲＵは、ハードウェアおよび／またはソフトウェアの形で実装されるモジュール、例えば、カメラ、ビデオカメラモジュール、テレビ電話、スピーカーホン、振動デバイス、スピーカー、マイクロホン、テレビ送受信機，ハンドフリーヘッドセット、キーボード、Ｂｌｕｅｔｏｏｔｈ（登録商標）モジュール、ＦＭ（周波数変調）無線ユニット、ＬＣＤ（液晶ディスプレイ）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意のＷＬＡＮ（ワイヤレスローカルエリアネットワーク）モジュールと組み合わせて使用することができる。
【００３９】
実施形態
１．伝送された無線ブロックの電力レベルを調整するように構成される、ワイヤレス通信システム内のＷＴＲＵ（ワイヤレス送信／受信ユニット）。
２．無線ブロックがＲＬＣ／ＭＡＣ（無線リンク制御／媒体アクセス制御）無線ブロックである実施形態１に記載のＷＴＲＵ。
３．無線ブロックがＰＡＮ（ピギーバック肯定応答／否定応答）フィールド、ヘッダおよびデータを含む実施形態１または２に記載のＷＴＲＵ。
４．送信機電力オフセットを、ＰＡＮフィールドを含む無線ブロックに印加するように構成される実施形態３に記載のＷＴＲＵ。
５．送信機電力オフセットを半静的に構成するように構成される実施形態４に記載のＷＴＲＵ。
６．送信機電力オフセットをＷＴＲＵの動作中に調整するように構成される実施形態４または５に記載のＷＴＲＵ。
７．送信機電力オフセットを無線条件、干渉レベル、または電力ヘッドルームレベルに基づいて調整するように構成される実施形態４〜６のいずれか１項に記載のＷＴＲＵ。
８．無線ブロックの一部分の電力レベルを上げるように構成される実施形態１〜７のいずれか１項に記載のＷＴＲＵ。
９．送信機電力オフセットを無線ブロックの一部分に印加するように構成される実施形態８に記載のＷＴＲＵ。
１０．無線ブロックの一部分がヘッダ、データ、ＰＡＮ、トレーニングシーケンス、ＳＦ（分散因子）、およびＵＳＦ（アップリンク状態フラグ）各フィールドを含む実施形態８または９に記載のＷＴＲＵ。
１１．送信機電力オフセットを無線ブロックの複数の部分に印加するように構成される実施形態４〜１０のいずれか１項に記載のＷＴＲＵ。
１２．無線ブロックの複数の部分のそれぞれの個別のエラーパフォーマンスのバランスを取るように構成される実施形態１１に記載のＷＴＲＵ。
１３．電力オフセットを半静的に構成するように構成される実施形態４〜１２のいずれかに１項に記載のＷＴＲＵ。
１４．電力オフセットをＷＴＲＵの動作中に調整するように構成される実施形態４〜１２のいずれか１項に記載のＷＴＲＵ。
１５．電力オフセットを変化する無線条件、干渉レベル、電力ヘッドルームレベルおよびフィールドの存在に基づいて調整するように構成される実施形態４〜１２のいずれか１項に記載のＷＴＲＵ。
１６．電力オフセットを無線ブロックの一部分に、リンクパフォーマンスを向上させ、他の受信機に対して生ずる干渉を最小にするように提供するように構成される実施形態４〜１２のいずれか１項に記載のＷＴＲＵ。
１７．電力オフセットを、シンボルを搬送するＰＡＮのサブセットに印加するように構成される実施形態４〜１６のいずれか１項に記載のＷＴＲＵ。
１８．ヘッダ、データ、および複数のＰＡＮビットを連続したビット位置にマッピングするように構成される実施形態３〜１７のいずれか１項に記載のＷＴＲＵ。
１９．ヘッダ、データまたはＰＡＮビットをマッピングするように構成されるインターリーバと、関連のリンクパフォーマンスを調整するためにヘッダ、データまたはＰＡＮビットを連続したビット位置にバーストマッピング処理するように構成される送信機とを備える実施形態１８に記載のＷＴＲＵ。
２０．関連のリンクパフォーマンスを調整するためにヘッダ、データまたはＰＡＮビットを連続したビット位置にバーストマッピング処理するように構成される受信機を備える実施形態１８または１９に記載のＷＴＲＵ。
２１．ＰＡＮビットを単一の無線バーストにマッピングするように構成される実施形態１８または１９に記載のＷＴＲＵ。
２２．ＰＡＮビットを無線ブロックのサブセットにマッピングするように構成され、無線ブロックが複数の無線バーストを含む実施形態１８〜２０のいずれか１項に記載のＷＴＲＵ。
２３．信頼性のためにＰＡＮビットを特定のシンボル位置にマッピングするように構成される実施形態１８〜２１のいずれか１項に記載のＷＴＲＵ。
２４．ＰＡＮビットを、コンステレーションシンボルに関連付けられたビットのＭＳＢ（最上位ビット）にマッピングするように構成される実施形態１８〜２２のいずれか１項に記載のＷＴＲＵ。
２５．ＰＡＮビットをシンボルの最も信頼できるビットにマッピングするように構成される実施形態１８〜２３のいずれか１項に記載のＷＴＲＵ。
２６．オフセットを、無線ブロック用に算出され、印加される電力値に印加するように構成される実施形態４〜２４のいずれか１項に記載のＷＴＲＵ。
２７．無線リソースの確立中にネットワークにより通知されるオフセット値を受信するように構成される実施形態４〜２５のいずれか１項に記載のＷＴＲＵ。
２８．ダウンリンク共通チャネル上の広告を介してネットワークにより通知されるオフセット値を受信するように構成される実施形態４〜２５のいずれか１項に記載のＷＴＲＵ。
２９．事前に構成されたオフセット値を実装し、その事前に構成されたオフセット値を複数の伝送に関係付けるように構成される実施形態４〜２５のいずれか１項に記載のＷＴＲＵ。
３０．リンク適応化方式に基づいてネットワークからオフセット値の調整を受信するように構成される実施形態４〜２５のいずれか１項に記載のＷＴＲＵ。
３１．リンク適応化方式に基づいてネットワークからオフセット値の構成を受信するように構成される実施形態４〜２５のいずれか１項に記載のＷＴＲＵ。
３２．別個の制御ブロックに入ったオフセット値を受信するように構成される実施形態４〜２５のいずれか１項に記載のＷＴＲＵ。
３３．制御ブロックがパケット電力制御、タイミング進行またはパケットタイムスロット再構成である実施形態３１に記載のＷＴＲＵ。
３４．パケットアップリンクＡＣＫ／ＮＡＣＫメッセージに入ったオフセットを受信するように構成される実施形態４〜２５のいずれか１項に記載のＷＴＲＵ。
３５．ワイヤレス通信システム内で伝送される無線ブロックの電力レベルを調整する方法であって、伝送される無線ブロックの電力を調整するＷＴＲＵ（ワイヤレス送信／受信ユニット）を備える、方法。
３６．無線ブロックがＲＬＣ／ＭＡＣ（無線リンク制御／媒体アクセス制御）無線ブロックである実施形態３５に記載の方法。
３７．無線ブロックがＰＡＮ（ピギーバック肯定応答／否定応答）フィールド、ヘッダおよびデータを含む実施形態３５または３６に記載の方法。
３８．送信機電力オフセットを、ＰＡＮフィールドを含む無線ブロックに印加するＷＴＲＵをさらに備える実施形態３７に記載の方法。
３９．送信機電力オフセットを半静的に構成するＷＴＲＵをさらに備える実施形態３８に記載の方法。
４０．送信機電力オフセットをＷＴＲＵの動作中に調整するＷＴＲＵをさらに備える実施形態３８または３９に記載の方法。
４１．送信機電力オフセットを無線条件、干渉レベル、または電力ヘッドルームレベルに基づいて調整するＷＴＲＵをさらに備える実施形態３８〜４０のいずれか１項に記載の方法。
４２．無線ブロックの一部分の電力レベルを上げるＷＴＲＵをさらに備える実施形態３５〜４１のいずれか１項に記載の方法。
４３．送信機電力オフセットを無線ブロックの一部分に印加するＷＴＲＵをさらに備える実施形態４１に記載の方法。
４４．無線ブロックの一部分がヘッダ、データ、ＰＡＮ、トレーニングシーケンス、ＳＦ（分散因子）、およびＵＳＦ（アップリンク状態フラグ）各フィールドを含む実施形態４２または４３に記載の方法。
４５．送信機電力オフセットを無線ブロックの複数の部分に印加するＷＴＲＵをさらに備える実施形態３８〜４４のいずれか１項に記載の方法。
４６．無線ブロックの複数の部分のそれぞれの個別のエラーパフォーマンスのバランスを取るＷＴＲＵをさらに備える実施形態４５に記載の方法。
４７．電力オフセットを半静的に構成するＷＴＲＵをさらに備える実施形態３８〜４６のいずれか１項に記載の方法。
４８．電力オフセットをＷＴＲＵの動作中に調整するＷＴＲＵをさらに備える実施形態３８〜４６のいずれか１項に記載の方法。
４９．電力オフセットを変化する無線条件、干渉レベル、電力ヘッドルームレベルおよびフィールドの存在に基づいて調整するＷＴＲＵをさらに備える実施形態３８〜４６のいずれか１項に記載の方法。
５０．電力オフセットを無線ブロックの一部分に、リンクパフォーマンスを向上させ、他の受信機に対して生ずる干渉を最小にするように提供するＷＴＲＵをさらに備える実施形態３８〜４９のいずれか１項に記載の方法。
５１．電力オフセットを、シンボルを搬送するＰＡＮのサブセットに印加するＷＴＲＵをさらに備える実施形態３８〜５０のいずれか１項に記載の方法。
５２．ヘッダ、データ、および複数のＰＡＮビットを連続したビット位置にマッピングするＷＴＲＵをさらに構成する実施形態３７〜５１のいずれか１項に記載の方法。
５３．関連のリンクパフォーマンスを調整するためにヘッダ、データおよびＰＡＮビットを連続したビット位置にバーストマッピング処理するＷＴＲＵをさらに備える実施形態５２に記載の方法。
５４．ＰＡＮビットを単一の無線バーストにマッピングするＷＴＲＵをさらに備える実施形態５２または５３に記載の方法。
５５．ＰＡＮビットを無線ブロックのサブセットにマッピングするＷＴＲＵをさらに備え、無線ブロックが複数の無線バーストを含む実施形態５２または５３に記載の方法。
５６．信頼性のためにＰＡＮビットを特定のシンボル位置にマッピングするＷＴＲＵをさらに備える実施形態５２〜５５のいずれか１項に記載の方法。
５７．ＰＡＮビットを、コンステレーションシンボルに関連付けられたビットのＭＳＢ（最上位ビット）にマッピングするＷＴＲＵをさらに備える実施形態５２〜５６のいずれか１項に記載の方法。
５８．ＰＡＮビットをシンボルの最も信頼できるビットにマッピングするＷＴＲＵをさらに備える実施形態５２〜５７のいずれか１項に記載の方法。
５９．オフセットを、無線ブロック用に算出され、印加される電力値に印加するＷＴＲＵをさらに備える実施形態３８〜５８のいずれか１項に記載の方法。
６０．無線リソースの確立中にネットワークからオフセット値を受信するＷＴＲＵをさらに備える実施形態３８〜５９のいずれか１項に記載の方法。
６１．ＤＬ共通チャネル上の広告を介してネットワークからオフセット値を受信するＷＴＲＵをさらに備える実施形態３８〜５９のいずれか１項に記載の方法。
６２．オフセット値が、ＷＴＲＵに実装される事前に構成されたオフセット値であり、他の伝送に関係付けられる実施形態３８〜５９のいずれか１項に記載の方法。
６３．リンク適応化方式に基づいてネットワークからオフセット値の調整を受信するＷＴＲＵをさらに備える実施形態３８〜５９のいずれか１項に記載の方法。
６４．リンク適応化方式に基づいてネットワークからオフセット値の構成を受信するＷＴＲＵをさらに備える実施形態３８〜５９のいずれか１項に記載の方法。
６５．別個の制御ブロックに入ったオフセット値を受信するＷＴＲＵをさらに備える実施形態３８〜５９のいずれか１項に記載の方法。
６６．制御ブロックがパケット電力制御、タイミング進行またはパケットタイムスロット再構成である実施形態６５に記載の方法。
６７．パケットアップリンクＡＣＫ／ＮＡＣＫメッセージに入ったオフセット値を受信するＷＴＲＵをさらに備える実施形態３８〜５９のいずれか１項に記載の方法。
【図１】
0005684857.tif 000002
【図２】
0005684857.tif 000003
【図３】
0005684857.tif 000004
【図４】
0005684857.tif 000005
【図５】
0005684857.tif 000006